(57)【特許請求の範囲】
【請求項１】
夫々複数の足場板部材からなる一対の足場板本体を足場板長さ方向に相対移動自在に連結し、両足場板本体の対向する２つの足場板部材間に両足場板本体の相対移動を阻止するロック機構を介装してなる伸縮式足場板において、
ロック機構は、両足場板本体の対向する２つの足場板部材の一方に、係合用凹部を足場板長さ方向に一定ピッチで設け、他方の足場板部材には、先端部の係合突片が係合用凹部に係合したロック位置とその凹部から離脱したロック解除位置との間を進退移動するロック操作片と、ロック操作片の両側でロック操作片の移動方向と直交する方向にのみ伸縮する一対の圧縮バネと、両圧縮バネとロック操作片との間に夫々枢支連結されて圧縮バネにより常時圧縮作用を受け、ロック操作片の進退移動に伴ってその進退方向に揺動して圧縮バネの付勢力によりロック操作片をロック位置及びロック解除位置に夫々保持する一対の揺動片と、を設けてなる伸縮式足場板。
【請求項２】
ロック機構が介装される両足場板部材の一方に設けられる係合用凹部は、当該一方の足場板部材にその長さ方向に一定ピッチで形成した孔部からなる請求項１に記載の伸縮式足場板。
【請求項３】
ロック操作片、一対の圧縮バネ及び一対の揺動片は、前記他方の足場板部材の所要個所に装着されるロックボックスに取り付けてなる請求項１又は２に記載の伸縮式足場板。
【発明の詳細な説明】
【技術分野】
【０００１】
本発明は、建築現場その他の作業場所での足場に使用される伸縮式足場板に関するもので、特に、夫々複数の足場板部材からなる一対の足場板本体を足場板長さ方向に相対移動自在に連結してなる伸縮式足場板であって、両足場板本体の対向する２つの足場板部材間に両足場板本体の相対移動を阻止するロック機構を介装した伸縮式足場板に関する。
【背景技術】
【０００２】
従来の伸縮式足場板として、例えば下記特許文献１に記載されたものが知られている。しかしながら、この伸縮式足場板におけるロック機構は、構造が複雑で部品点数が多く、製作コストが高くつく上に、故障が多いという問題点があった。
【特許文献１】特開２００４−４４２９５号公報
【発明の開示】
【発明が解決しようとする課題】
【０００３】
本発明は、上記従来の問題点に鑑み、ロック機構の構造が簡単で、部品点数も少なく、製作コストが安くつく上に、故障が少なく、使用寿命を延ばすことができる伸縮式足場板を提供することを目的とする。
【課題を解決するための手段】
【０００４】
上記課題を解決するための手段を、後述する実施形態の参照符号を付して説明すると、請求項１に係る発明は、夫々複数の足場板部材４，５，６，７，８からなる一対の足場板本体２，３を足場板長さ方向に相対移動自在に連結し、両足場板本体２，３の対向する２つの足場板部材４，６間に両足場板本体２，３の相対移動を阻止するロック機構Ｒを介装してなる伸縮式足場板において、
ロック機構Ｒは、両足場板本体２，３の対向する２つの足場板部材４，６の一方（足場板部材６）に、係合用凹部を足場板長さ方向に一定ピッチで設け、他方の足場板部材４には、先端部の係合突片３３が係合用凹部に係合したロック位置とその凹部から離脱したロック解除位置との間を進退移動するロック操作片３０と、ロック操作片３０の両側でロック操作片３０の移動方向と直交する方向にのみ伸縮する一対の圧縮バネ３１，３１と、両圧縮バネ３１，３１とロック操作片３０との間に夫々枢支連結されて圧縮バネ３１により常時圧縮作用を受け、ロック操作片３０の進退移動に伴ってその進退方向に揺動して圧縮バネ３１の付勢力によりロック操作片３０をロック位置及びロック解除位置に夫々保持する一対の揺動片３２，３２と、を設けてなることを特徴とする。
【０００５】
請求項２は、請求項１に記載の伸縮式足場板において、ロック機構Ｒが介装される両足場板部材４，６の一方（足場板部材６）に設けられる係合用凹部は、当該一方の足場板部材６にその長さ方向に一定ピッチで形成した孔部ａからなることを特徴とする。
【０００６】
請求項３は、請求項１又は２に記載の伸縮式足場板において、ロック操作片３０、一対の圧縮バネ３１，３１及び一対の揺動片３２，３２は、前記他方の足場板部材４の所要個所に装着されるロックボックス２９に取り付けてなることを特徴とする。
【発明の効果】
【０００７】
上記解決手段による発明の効果を、後述する実施形態の参照符号を付して説明すると、請求項１に係る発明の伸縮式足場板によれば、ロック機構Ｒが、両足場板本体２，３の対向する２つの足場板部材４，６の一方の足場板部材６に足場板長さ方向一定ピッチで設けられる係合用凹部と、他方の足場板部材４に設けられるロック操作片３０、一対の圧縮バネ３１，３１及び一対の揺動片３２，３２と、からなるもので、部品点数が少なく、構造が簡単であるから、製作コストを安くできると共に、故障が少なく、使用寿命を伸ばすことができ、更に使用にあたってはロック操作片３０を押し引きするだけでロック及びロック解除できるから、操作が非常に簡単である。
【０００８】
請求項２に係る発明によれば、係合用凹部が一方の足場板部材６にその長さ方向に一定ピッチで形成した孔部ａからなるもので、凹部と凸部とを交互に連続して形成したラック部材を足場板部材６に取り付けるのに比べ、重量が軽くなるため、足場板の軽量化を図ることができる。
【０００９】
請求項３に係る発明によれば、ロック操作片３０、一対の圧縮バネ３１，３１及び一対の揺動片３２，３２をロックボックス２９に取り付けることによって、ユニットにできるから、足場板部材４に対する取付け及び取外しが容易となる。
【発明を実施するための最良の形態】
【００１０】
以下に本発明の好適な実施形態を図面に基づいて説明すると、図１の(a) は本発明に係る伸縮式足場板１の全体概略斜視図、(b) は(a) の矢印Ｘにて示す部分の拡大図であり、図２は図１の(b) のＹ−Ｙ線拡大断面図である。この伸縮式足場板１は、足場板長さ方向に伸縮自在に組み合わされた一対の足場板本体２，３からなり、両足場板本体２，３は、図１の(b) 及び図２から分かるように、足場板幅方向に一定間隔をおいて互いに平行に配置された、夫々５本ずつの合計１０本の足場板部材４，５，６，７，８からなるもので、一方の足場板本体２の足場板部材４，５，５，５，５が他方の足場板本体３の足場板部材６，７，７，７，８相互間に足場板長さ方向に相対移動自在に配置されている。
【００１１】
一方の足場板本体２の足場板部材４，５，５，５，５の足場板長さ方向一端部及び他方の足場板本体３の足場板部材６，７，７，７，８の足場板長さ方向一端部は、夫々、バンドプレート９，１０によって相互に連結され、また一方の足場板本体２の足場板部材４，５，５，５，５の足場板長さ方向他端部及び他方の足場板本体３の足場板部材６，７，７，７，８の足場板長さ方向他端部は、夫々、全ての足場板部材４，５，６，７，８に亘るように外嵌されたバンドプレート１１，１２によって相互に連結されている。
【００１２】
図２は一方の足場板本体２の足場板部材４，５，５，５，５の他端部側が一方のバンドプレート１１によって相互連結された部分の断面構造を示したもので、この一方のバンドプレート１１は、一方の足場板本体２の足場板部材４，５，５，５，５の夫々他端部にビス１３止め（あるいはリベット止め）され、他方のバンドプレート１２は、図示は省略するが、他方の足場板本体３の足場板部材６，７，７，７，８の夫々他端部にビス１３止め（あるいはリベット止め）され、それによって両足場板本体２，３は、足場板長さ方向に相対移動自在で伸縮自在に連結されている。
【００１３】
また、図１及び図２に示すように、両足場板本体２，３の足場板長さ方向両端部には、夫々棒状体からなる伸縮操作用ハンドル２５，２６が設けられている。即ち、図１の(b)
は足場板本体３の一端部に設けられたハンドル２６を示しており、このハンドル２６は、足場板本体３を構成する足場板部材６，７，７，７，８の足場板幅方向両端部の足場板部材６，８の先端部間にブラケット２７，２７を介して横架されている。このように足場板本体３の足場板幅方向両端部の足場板部材６，８の先端部間にハンドル２６が横架されるため、その中間の足場板部材７，７，７の夫々先端部が切除され、しかしてこれら先端部が切除された足場板部材７，７，７とその両端側の足場板部材６，８とがバンドプレート１０によって相互に連結されている。足場板本体２の一端部に設けられたハンドル２５の取付構造も上記ハンドル２６と同様である。
【００１４】
上記一方の足場板本体２における足場板幅方向一端側の足場板部材４と、この足場板部材６に対向する、他方の足場板本体３の足場板幅方向一端側の足場板部材６との間には、両足場板本体２，３の相対移動を阻止して所要の伸縮位置にロックするためのロック機構Ｒが介装されている。
【００１５】
上記一対の足場板本体２，３を構成する全ての足場板部材４，５，６，７，８は、夫々アルミ押出型材からなり、これら全ての足場板部材４，５，６，７，８のうち足場板幅方向に関して最も外側にある２つの足場板部材４，８は、図２に示すように、夫々リップ付き溝型材からなるもので、その溝型材の開口部Ｏ側を外に向けて配置することによって、このリップ付き溝型材からなる足場板部材４，８のリップ部２３を手掛り部として利用することができる。
【００１６】
この足場板部材４，８は、図３の(a) に示すように、対向する側壁部２１，２１と両側壁部２１，２１をつなぐ底壁部２２と、各側壁部２１の先端部から内向きに略Ｌ字状に突設されたリップ部２３とによって溝形に形成されると共に、底壁部２２にはその幅方向中央部側に補強用凸条部２４が形成されており、そしてロック機構Ｒが介装される足場板部材４には補強用凸条部２４の所要個所に図示のようなロックボックス取付用開口部２８が設けられる。
【００１７】
また、図２から分かるように、一方の足場板本体２の一部を構成する足場板部材５と、他方の足場板本体３の一部を構成する足場板部材７とは同じ断面形状のアルミ押出型材、即ち断面が縦長矩形状の角筒状型材によって形成されたものである。
【００１８】
図３の(b) は、ロック機構Ｒが介装される足場板部材４と対向する足場板部材６、即ち一方の足場板本体２における足場板幅方向一端側の足場板部材４と対向する他方の足場板本体３の足場板幅方向一端側の足場板部材６を示す斜視図で、この足場板部材６は、両側一対の筒状部６ａ，６ａと両筒状部６ａ，６ａをつなぐ連結壁部６ｂとからなるもので、この連結壁部６ｂには係合用凹部としての孔部ａが足場板部材６の長さ方向に一定ピッチで多数形成されている。
【００１９】
次にロック機構Ｒについて説明すると、このロック機構Ｒが介装される両足場板部材４，６のうちの一方の足場板部材６にはその連結壁部６ｂに、上記のように孔部ａ（凹部）と非孔部ｂ（凸部）とが足場板長さ方向に一定ピッチで交互に連続して設けられ（図３の(b) 参照）、他方の足場板部材４にはその補強用凸条部２４の所要個所に、図３の(a) に示すようにロックボックス取付用開口部２８が設けられ、この開口部２８にロックボックス２９が嵌め込まれ、このロックボックス２９には、後述するロック操作片３０、一対の圧縮コイルバネ３１，３１及び一対の揺動片３２，３２が取り付けられる。尚、足場板部材４のロックボックス取付用開口部２８に嵌め込まれたロックボックス２９は、ビス３８で固定され、またこのボックス２９にはカバー３９が取り付けられる。
【００２０】
ロックボックス２９に取り付けられるロック操作片３０、圧縮コイルバネ３１及び揺動片３２について説明すれば、ロック操作片３０は、先端部に突設された係合突片３３が前記凹凸部ａ，ｂの孔部ａ（凹部）に係合するロック位置（図５参照）と、その孔部ａから離脱したロック解除位置（図４参照）との間を進退移動するようにロックボックス２９に取り付けられる。このロック操作片３０の両側方には、ロック操作片の移動方向と直交する方向にのみ伸縮する一対の圧縮コイルバネ３１，３１が配置され、両圧縮コイルバネ３１，３１は、図４及び図５に示すようにロックボックス２９内に設けてある横溝部３４，３４に嵌め込まれる。
【００２１】
両圧縮コイルバネ３１，３１とロック操作片３０との間には両側一対の揺動片３２，３２が枢支連結される。即ち、各揺動片３２は、左右両端部が丸く面取りされた矩形状の板体で、その一端部３２ａがロック操作片３０の一側面部に凹設された凹溝部３５に係合され、他端部３２ｂが各圧縮コイルバネ３１の先端部に枢着され、それによって各揺動片３２は、圧縮コイルバネ３１により常時圧縮作用を受け、ロック操作片３０の進退移動に伴って一端部３２ａ側が他端部３２へを中心としてロック操作片３０の進退方向に揺動し、圧縮コイルバネ３１の付勢力によってロック操作片３０をロック位置及びロック解除位置にそれ一時的に保持するようになっている。
【００２２】
この場合、ロック操作片３０を図５に示すようにロック位置に前進させた時は、揺動片３２の一端部３２ａが両側の圧縮コイルバネ３１，３１を結ぶ中立線Ｎ（仮想線で示す）を越えてその前方側に位置するから、圧縮コイルバネ３１は揺動片３２を介しロック操作片３０をロック位置側へ押圧付勢してロック操作片３０をロック位置に保持する。また、図４に示すようにロック操作片３０をロック解除位置に後退させた時は、揺動片３２の一端部３２ａが前記中立線Ｎを越えてその後方側に位置するから、圧縮コイルバネ３１は揺動片３２を介してロック操作片３０をロック解除位置側へ押圧付勢してロック操作片３０をロック位置に保持する。
【００２３】
また、ロック操作片３０にはガイド用開口部３６が設けられ、この開口部３６には、ロックボックス２９に突設されたガイド片３７が突入しており、しかしてロック操作片３０がロック解除位置にある時は、図４に示すようにガイド片３７がガイド用開口部３６の前端縁に当接した状態にあって、それ以上の後退が制限され、このロック解除位置からロック操作片３０がロック位置に来ると、ガイド用開口部３６の後端縁にガイド片３７が当接して、それ以上の前進が制限されるようになっている。
【００２４】
上記のように構成されるロック機構Ｒを備えた伸縮式足場板１の長さを調整する時は、先ず、図５に示すようにロック位置に保持されているロック操作片３０の後端部３０ａを摘んで圧縮コイルバネ３１の付勢力に抗して手前側（後方側）へ引っ張ると、先端部の係合突片３３が係合用凹部ａから離脱してロック解除状態になると共に、各揺動片３２の一端部３２ａ側がその他端部３２ｂを中心に揺動し、しかしてそれまで中立線Ｎの前方側に位置していた各揺動片３２の一端部３２ａ側がその中立線Ｎを越えて後方側へ位置するようになると、ロック操作片３０はロック解除位置に保持され、図４に示すような状態となる。
【００２５】
こうしてロックが解除された状態の足場板１の両足場板本体２，３を相対移動させて、足場板１の長さを適宜に調整する。尚、両足場板本体２，３を相対移動させる時は、各足場板本体２，３の端部に設けてある伸縮操作用ハンドル２５，２６を掴むことによって、伸縮操作が容易となる。しかして、足場板１を適当な長さに調整した後、ロック操作片３０の後端部３０ａを摘んで圧縮コイルバネ３１の付勢力に抗して前方側へ押し込むと、係合突片３３が係合用凹部ａに係合してロック位置となり、同時に各揺動片３２の一端部３２ａ側が後方へ揺動して中立線Ｎの後方側へ位置し、それによりロック操作片３０がロック位置に保持されて、足場板１は調整した長さに保持固定される。
【００２６】
以上説明したように、この伸縮足場板１においては、ロック機構Ｒが、両足場板本体２，３の対向する２つの足場板部材４，６の一方の足場板部材６に足場板長さ方向一定ピッチで設けられる係合用凹部と、他方の足場板部材４に設けられるロック操作片３０、一対の圧縮バネ３１，３１及び一対の揺動片３２，３２と、からなるもので、部品点数が少なく、構造が簡単であるから、足場板１の製作コストを安くできると共に、故障が少なく、使用寿命を伸ばすことができ、そしてまたロック機構Ｒの使用にあたってはロック操作片３０を押し引き操作するだけで、ロック及びそのロックの解除を行えるから、操作が非常に簡単となる。
【００２７】
上述した実施形態では、係合用凹部が一方の足場板部材６にその長さ方向に一定ピッチで形成した孔部ａからなるものであるが、係合用凹部は、このような足場板部材６に直接形成した孔部ａからなるものに限らず、凹部と凸部とを交互に連続して形成したラック部材を足場板部材６に取り付けるたものでもよい。但し、この実施形態のような足場板部材６に直接孔部ａを形成するようにすれば、足場板部材の重量が軽くなって、足場板の軽量化を図ることができる。
【００２８】
また実施形態のように、ロック操作片３０、一対の圧縮バネ３１，３１及び一対の揺動片３２，３２をロックボックス２９に取り付けることによって、ユニットにできるから、足場板部材４に対する取付け及び取外しが容易となる。
【図面の簡単な説明】
【００２９】
【図１】(a) は本発明に係る伸縮式足場板の全体概略斜視図、(b) は(a) の矢印Ｘにて示す部分の拡大図である。
【図２】図１の(b) のＹ−Ｙ線拡大断面図である。
【図３】(a) はロック機構が介装される足場板部材の一方を示す斜視図、(b) は他方の足場板部材を示す斜視図である。
【図４】(a) はロック解除位置にあるロック機構の平面図であり、(b) は正面図である。
【図５】(a) はロック位置にあるロック機構の平面図、(b) は正面図である。
【符号の説明】
【００３０】
１            伸縮式足場板
２，３        足場板本体
４            足場板部材
５            足場板部材
６            足場板部材
７            足場板部材
８            足場板部材
Ｒ            ロック機構
２９          ロックボックス
３０          ロック操作片
３１          圧縮コイルバネ
３２          揺動片
３３          係合突片
【図１】
0004516539.tif 000002
【図２】
0004516539.tif 000003
【図３】
0004516539.tif 000004
【図４】
0004516539.tif 000005
【図５】
0004516539.tif 000006